(57)【要約】【課題】絞りを用いた際における色成分のバランスの変化を抑制する。【解決手段】発光装置１０は、第１波長の光源光Ｌ０を射出する光源２０と、光源光Ｌ０によって第２波長の蛍光を励起して光源光Ｌ０と蛍光とを照明光Ｌとして射出する蛍光体２２と、照明光Ｌが入射するフライアイレンズ２８と、蛍光体２２とフライアイレンズ２８との間で照明光Ｌの一部を遮光可能な遮光ユニット２６と、を有する。フライアイレンズ２８に入射する照明光Ｌは、光の進行方向に対する断面視の一部の領域である第１領域において、第１領域以外の領域である第２領域よりも、第１波長の成分が少ない。遮光ユニット２６は、照明光Ｌを遮光する絞り部５２と、第２領域における照明光Ｌの第２波長の光を遮光し、第２領域における照明光Ｌの第１波長の光を透過するフィルタ５４と、を有する。【選択図】図１
2018036547.tif 000002
【特許請求の範囲】
【請求項１】
第１波長の光源光を射出する光源と、
前記光源光が入射され、前記光源光によって第２波長の蛍光を励起すると共に前記光源光を反射して、前記光源光と前記蛍光とを照明光として射出する蛍光体と、
前記照明光が入射するフライアイレンズと、
前記蛍光体と前記フライアイレンズとの間に設けられ、前記照明光の一部を遮光可能な遮光ユニットと、を有し、
前記フライアイレンズに入射する照明光は、光の進行方向に対する断面視の一部の領域である第１領域において、前記第１領域以外の領域である第２領域よりも、前記第１波長の成分が少なく、
前記遮光ユニットは、
前記照明光を遮光する絞り部と、
前記第２領域における前記照明光の前記第２波長の光を遮光し、前記第２領域における前記照明光の前記第１波長の光を透過するフィルタと、を有する発光装置。
【請求項２】
前記遮光ユニットは、前記絞り部の前記照明光の遮光を最小とする開状態と、前記絞り部の前記照明光の遮光を最大とし、かつ、前記フィルタが前記第２領域の少なくとも一部の領域における前記第２波長の光を遮光する閉状態と、を切替え可能である、請求項１に記載の発光装置。
【請求項３】
前記蛍光体と前記遮光ユニットとの間に設けられ、前記第１波長の光を反射して前記第２波長の光を透過し、前記光源からの前記光源光を反射して前記蛍光体に射出する反射鏡を更に有し、
前記フライアイレンズに入射する照明光は、前記反射鏡に重畳する重畳領域において、前記反射鏡を透過した第２波長の成分の光を含み、前記重畳領域以外の非重畳領域において、前記第１波長及び前記第２波長の成分の光を含み、
前記遮光ユニットは、前記閉状態において、前記フィルタを前記非重畳領域に重畳させ、前記非重畳領域における前記照明光の前記第２波長の光を遮光する、請求項２に記載の発光装置。
【請求項４】
前記遮光ユニットは、前記閉状態において、前記フライアイレンズに入射する照明光の前記第１波長の成分と前記第２波長の成分との成分比率が、前記開状態において前記フライアイレンズに入射する照明光の前記成分比率に対し、所定の範囲内となるように、前記フィルタに前記第２波長の光を遮光させる、請求項２又は請求項３に記載の発光装置。
【請求項５】
前記遮光ユニットは、前記閉状態において、前記第１波長の成分の光が透過される第１波長領域と前記第２波長の成分の光が透過される第２波長領域との面積比が、前記開状態における前記第１波長領域と前記第２波長領域との間の面積比に対し、所定の範囲内となるように、前記フィルタに前記第２波長の光を遮光させる、請求項４に記載の発光装置。
【請求項６】
請求項１から請求項５のいずれか１項に記載の発光装置を備え、前記フライアイレンズから射出される前記照明光により画像を表示する投射型画像表示装置。
【発明の詳細な説明】
【技術分野】
【０００１】
本発明は、発光装置及び投射型画像表示装置に関する。
【背景技術】
【０００２】
投射型画像表示装置は、光源を有する発光装置からの照明光により画像を表示する。この発光装置は、表示する画像の明るさなどを制御するために、光を遮光する絞りを有する場合がある。
【０００３】
ここで、例えば液晶パネルを光変調素子に用いた投射型画像表示装置において、光変調素子に入射させる照明光は、白色光であることが好ましい。また、発光装置の構造上の理由などにより、白色光でない照明光が用いられる場合もあるが、絞りの遮光の度合いによらず照明光の色成分のバランスが一定に保たれていれば、画像表示に与える影響は少ない。
【先行技術文献】
【特許文献】
【０００４】
【特許文献１】国際公開第２０１４／２０３６５２号
【発明の概要】
【発明が解決しようとする課題】
【０００５】
しかし、白色光でない照明光として、照明光を断面視した場合の領域毎に、色成分のバランスが異なる色の分布を有する照明光が用いられる場合がある。このような照明光を用いると、絞りで遮光しない際の領域全体の色成分のバランスと、絞りで一部を遮光した際の領域全体の色成分のバランスとが、異なってしまう可能性がある。例えば、色成分のバランスが他の領域とは異なる領域を遮光した場合、全体としての色成分のバランスが、絞り全開時とは変化してしまう。このように、絞りを用いた際に色成分のバランスがずれると、意図した色とは異なる色が表示されるなど、画質の劣化を生じるおそれがある。
【０００６】
本発明は、上記課題を鑑み、絞りを用いた際における色成分のバランスの変化を抑制する発光装置及び投射型画像表示装置を提供することを目的とする。
【課題を解決するための手段】
【０００７】
本発明の一態様にかかる発光装置は、第１波長の光源光を射出する光源と、前記光源光が入射され、前記光源光によって第２波長の蛍光を励起すると共に前記光源光を反射して、前記光源光と前記蛍光とを照明光として射出する蛍光体と、前記照明光が入射するフライアイレンズと、前記蛍光体と前記フライアイレンズとの間に設けられ、前記照明光の一部を遮光可能な遮光ユニットと、を有し、前記フライアイレンズに入射する照明光は、光の進行方向に対する断面視の一部の領域である第１領域において、前記第１領域以外の領域である第２領域よりも、前記第１波長の成分が少なく、前記遮光ユニットは、前記照明光を遮光する絞り部と、前記第２領域における前記照明光の前記第２波長の光を遮光し、前記第２領域における前記照明光の前記第１波長の光を透過するフィルタと、を有する。
【発明の効果】
【０００８】
本発明によれば、絞りを用いた際における色成分のバランスの変化を抑制することができる。
【図面の簡単な説明】
【０００９】
【図１】第１実施形態に係る投射型画像表示装置の一例を模式的に示す平面図である。
【図２】照明光の射出の様子を示す模式図である。
【図３】遮光ユニットを説明する模式図である。
【図４】遮光ユニットを説明する模式図である。
【図５】開状態と閉状態との面積比の一例を説明する表である。
【図６】第２実施形態に係る遮光ユニットを説明する説明図である。
【図７】第３実施形態に係る遮光ユニットを説明する説明図である。
【発明を実施するための形態】
【００１０】
以下に、本発明の実施形態を図面に基づいて詳細に説明する。なお、以下に説明する実施形態により本発明が限定されるものではない。
【００１１】
以下の説明においては、ＸＹＺ直交座標系を設定し、このＸＹＺ直交座標系を参照しつつ各部の位置関係について説明する。所定面内の第１軸であるＸ軸と平行な方向をＸ軸方向、第１軸と直交する所定面内の第２軸であるＹ軸と平行な方向をＹ軸方向、第１軸及び第２軸と直交する第３軸であるＺ軸と平行な方向をＺ軸方向とする。第３軸は、所定面と直交する。また、Ｘ軸方向の一方向を＋Ｘ方向とし、＋Ｘ方向の逆方向を−Ｘ方向とする。Ｙ軸方向の一方向を＋Ｙ方向とし、＋Ｙ方向の逆方向を−Ｙ方向とする。Ｚ軸方向の一方向を＋Ｚ方向とし、＋Ｚ方向の逆方向を−Ｚ方向とする。以下の実施形態において、所定面は水平面と平行であり、Ｚ軸方向は鉛直方向である。以下の説明においては、所定面を適宜、ＸＹ平面、と称する。
【００１２】
（第１実施形態）
（投射型画像表示装置の全体構成）
図１は、第１実施形態に係る投射型画像表示装置の一例を模式的に示す平面図である。図１に示すように、第１実施形態に係る投射型画像表示装置１００は、発光装置１０と、照明光学系１２と、第１反射型液晶パネル１３、第２反射型液晶パネル１４、及び第３反射型液晶パネル１５と、合成光学系１６と、投射光学系１８とを備える。発光装置１０は、光を発生する光源を含む。照明光学系１２は、第１色分離素子３４及び第２色分離素子３６を有し、発光装置１０から射出された光を色分離して第１色光Ｌｂ、第２色光Ｌｇ、及び第３色光Ｌｒを生成する。第１反射型液晶パネル１３、第２反射型液晶パネル１４、及び第３反射型液晶パネル１５は、照明光学系１２で生成された第１色光Ｌｂ、第２色光Ｌｇ、及び第３色光Ｌｒの光路のそれぞれに配置され、画像データに基づいて第１色光Ｌｂ、第２色光Ｌｇ、及び第３色光Ｌｒのそれぞれを光変調する。合成光学系１６は、第１反射型液晶パネル１３、第２反射型液晶パネル１４、及び第３反射型液晶パネル１５で光変調された第１色光Ｌｂ、第２色光Ｌｇ、及び第３色光Ｌｒを合成して合成光を生成する。投射光学系１８は、合成光学系１６で生成された合成光を投射する。投射型画像表示装置１００は、発光装置１０が射出する照明光により画像を表示する装置である。
【００１３】
なお、第１実施形態における第１色光Ｌｂ、第２色光Ｌｇ、及び第３色光Ｌｒは、それぞれ照明光Ｌを構成する三色の色光のうちの単色成分の光である。具体的には、第１色光Ｌｂは、青色の光であり、第２色光Ｌｇは、緑色の光であり、第３色光Ｌｒは、赤色の光である。
【００１４】
図１に示すように、発光装置１０は、照明光Ｌを発生する。発光装置１０は、後述するインテグレータ光学系３０に照明光Ｌを射出するものであるが、詳しくは後述する。
【００１５】
照明光学系１２は、インテグレータ光学系３０と、第１色分離素子３４と、第２色分離素子３６と、第１反射部材３８と、第２反射部材４０と、第３反射部材４２と、リレー光学系４６とを備える。インテグレータ光学系３０は、発光装置１０から照明光Ｌが供給される。第１色分離素子３４は、インテグレータ光学系３０から供給された照明光Ｌから第１色光Ｌｂを分離して、−Ｘ方向に供給する。第２色分離素子３６は、第１色分離素子３４から供給された光Ｌｇｒを第２色光Ｌｇと第３色光Ｌｒとに分離して、第２色光Ｌｇを−Ｘ方向に供給し、第３色光Ｌｒを＋Ｙ方向に供給する。第１反射部材３８は、第１色分離素子３４から供給された第１色光Ｌｂを＋Ｚ方向に反射する。第２反射部材４０は、第２色分離素子３６から供給された第２色光Ｌｇを＋Ｚ方向に反射する。第３反射部材４２は、第２分離素子３６から供給された第３色光Ｌｒを＋Ｚ方向に反射する。リレー光学系４６は、第１色光Ｌｂの光路に配置され、倒立像を形成する。
【００１６】
インテグレータ光学系３０は、発光装置１０から射出された照明光Ｌの照度を均一化する。インテグレータ光学系３０は、フライアイレンズ３１と、偏光変換素子３２と、コンデンサレンズ３３とを含む。インテグレータ光学系３０の光軸は、Ｙ軸と平行である。インテグレータ光学系３０から射出される光は、＋Ｙ方向に進行する。
【００１７】
フライアイレンズ３１は、ＸＺ平面内においてマトリクス状に配置される複数のマイクロレンズを有する。偏光変換素子３２は、複数の偏光変換ユニットを有する。偏光変換ユニットは、偏光分離膜、反射ミラー、及び位相板を含む。フライアイレンズ３１の複数のマイクロレンズと偏光変換素子３２の複数の偏光変換ユニットとは１対１で対応する。
【００１８】
発光装置１０から射出されインテグレータ光学系３０に入射した照明光Ｌは、フライアイレンズ３１のマイクロレンズに集光する。フライアイレンズ３１の複数のマイクロレンズのそれぞれには、２次光源像が形成される。フライアイレンズ３１の各マイクロレンズに形成された２次光源像からの光は、フライアイレンズ３１のマイクロレンズに対応する偏光変換素子３２の偏光変換ユニットに入射する。偏光変換ユニットに入射した光は、偏光分離膜により第１偏光状態の光と第２偏光状態の光とに分離される。偏光分離膜により分離された第２偏光状態の光は、反射ミラーで反射した後、位相板を通過することにより、第１偏光状態の光に変換される。すなわち、発光装置１０から射出された照明光Ｌは、偏光変換素子３２を通過することにより、第１偏光状態の光に変換される。
【００１９】
複数の偏光変換ユニットのそれぞれから射出された光は、コンデンサレンズ３３に入射する。コンデンサレンズ３３は、複数の偏光変換ユニットのそれぞれから射出された光を１の光束に重畳させる。これにより、第１反射型液晶パネル１３、第２反射型液晶パネル１４、及び第３反射型液晶パネル１５のそれぞれにおける照度分布が均一化される。
【００２０】
第１色分離素子３４は、インテグレータ光学系３０の＋Ｙ側に配置される。第１色分離素子３４は、ダイクロイックミラーを含む。第１色分離素子３４は、インテグレータ光学系３０を介して発光装置１０から供給された光から第１色光Ｌｂを分離する。第１実施形態において、第１色分離素子３４は、発光装置１０から供給された照明光Ｌを、第１色光Ｌｂである青色光と、青色光とは別の波長の光Ｌｇｒとに分離する。青色光である第１色光Ｌｂは、第１色分離素子３４で反射して、−Ｘ方向に進行する。青色光とは別の波長の光Ｌｇｒは、第１色分離素子３４を透過して、＋Ｙ方向に進行する。
【００２１】
第２色分離素子３６は、第１色分離素子３４の＋Ｙ側に配置される。第２色分離素子３６は、ダイクロイックミラーを含む。第２色分離素子３６は、第１色分離素子３４から供給された青色光とは別の波長の光Ｌｇｒを第２色光Ｌｇと第３色光Ｌｒとに分離する。第１実施形態において、第２色分離素子３６は、第１色分離素子３４から供給された光Ｌｇｒを、第２色光Ｌｇである緑色光と、第３色光Ｌｒである赤色光とに分離する。緑色光である第２色光Ｌｇは、第２色分離素子３６で反射して、−Ｘ方向に進行する。赤色光である第３色光Ｌｒは、第２色分離素子３６を透過して、＋Ｙ方向に進行する。
【００２２】
第１反射部材３８は、第１色分離素子３４から供給された第１色光Ｌｂを＋Ｚ方向に反射する。第１実施形態において、照明光学系１２は、第１色分離素子３４と第１反射部材３８との間に配置される第４反射部材４４を有する。第４反射部材４４は、第１色分離素子３４から供給された第１色光Ｌｂを＋Ｙ方向に反射する。第４反射部材４４は、第１色分離素子３４の−Ｘ側に配置される。第１色分離素子３４から−Ｘ方向に進行する第１色光Ｌｂは、第４反射部材４４の反射面で反射して、＋Ｙ方向に進行する。第１反射部材３８は、第４反射部材４４の＋Ｙ側に配置される。第４反射部材４４から＋Ｙ方向に進行する第１色光Ｌｂは、第１反射部材３８の反射面で反射して、＋Ｚ方向に進行する。
【００２３】
第２反射部材４０は、第２色分離素子３６から供給された第２色光Ｌｇを＋Ｚ方向に反射する。第２反射部材４０は、第２色分離素子３６の−Ｘ側に配置される。第２色分離素子３６から−Ｘ方向に進行する第２色光Ｌｇは、第２反射部材４０の反射面で反射して、＋Ｚ方向に進行する。
【００２４】
第３反射部材４２は、第２色分離素子３６から供給された第３色光Ｌｒを＋Ｚ方向に反射する。第３反射部材４２は、第２色分離素子３６の＋Ｙ側に配置される。第２色分離素子３６から＋Ｙ方向に進行する第３色光Ｌｒは、第３反射部材４２の反射面で反射して、＋Ｚ方向に進行する。
【００２５】
リレー光学系４６は、第１色分離素子３４と第１反射型液晶パネル１３との間の第１色光Ｌｂの光路に配置される。第１実施形態において、リレー光学系４６は、第１色分離素子３４と第１反射部材３８との間の第１色光Ｌｂの光路に配置される。リレー光学系４６は、リレー光学系４６の物体面側の物体の像をリレー光学系４６の像面側に形成する。
【００２６】
リレー光学系４６は、第１色分離素子３４と第４反射部材４４との間に配置される第１集光レンズ４７と、第４反射部材４４と第１反射部材３８との間に配置される第２集光レンズ４８及び第３集光レンズ４９とを有する。第１集光レンズ４７、第２集光レンズ４８、及び第３集光レンズ４９はそれぞれ、凸レンズである。リレー光学系４６は、像面側に物体の正立像を形成する。
【００２７】
第１反射型液晶パネル１３は、画像データに基づいて、第１反射部材３８から供給された第１色光Ｌｂを光変調する光変調素子である。第１反射型液晶パネル１３は、第１反射部材３８の＋Ｚ側に配置される。第１反射部材３８から＋Ｚ方向に進行する第１色光Ｌｂは、第１反射型液晶パネル１３に入射する。第１反射型液晶パネル１３は、第１反射部材３８から供給された第１色光Ｌｂを−Ｚ方向に反射する。
【００２８】
第２反射型液晶パネル１４は、画像データに基づいて、第２反射部材４０から供給された第２色光Ｌｇを光変調する光変調素子である。第２反射型液晶パネル１４は、第２反射部材４０の＋Ｚ側に配置される。第２反射部材４０から＋Ｚ方向に進行する第２色光Ｌｇは、第２反射型液晶パネル１４に入射する。第２反射型液晶パネル１４は、第２反射部材４０から供給された第２色光Ｌｇを−Ｚ方向に反射する。
【００２９】
第３反射型液晶パネル１５は、画像データに基づいて、第３反射部材４２から供給された第３色光Ｌｒを光変調する光変調素子である。第３反射型液晶パネル１５は、第３反射部材４２の＋Ｚ側に配置される。第３反射部材４２から＋Ｚ方向に進行する第３色光Ｌｒは、第３反射型液晶パネル１５に入射する。第３反射型液晶パネル１５は、第３反射部材４２から供給された第３色光Ｌｒを−Ｚ方向に反射する。
【００３０】
第１反射型液晶パネル１３、第２反射型液晶パネル１４、及び第３反射型液晶パネル１５は、透明電極を有する透明基板と、反射電極を有するアクティブマトリクス基板と、透明基板とアクティブマトリクス基板との間に設けられる液晶層とを有する。第１反射型液晶パネル１３、第２反射型液晶パネル１４、及び第３反射型液晶パネル１５は、入射した光を液晶層に入射し、液晶層を通過した光を反射電極で反射する。第１反射型液晶パネル１３、第２反射型液晶パネル１４、及び第３反射型液晶パネル１５は、このように入射した光を液晶層で変調することで、所定の画像を表示させる。
【００３１】
合成光学系１６は、第１反射型液晶パネル１３で光変調された第１色光Ｌｂと、第２反射型液晶パネル１４で光変調された第２色光Ｌｇと、第３反射型液晶パネル１５で光変調された第３色光Ｌｒとを合成して合成光を生成する。第１実施形態において、合成光学系１６は、クロスダイクロイックプリズムを含む。
【００３２】
投射光学系１８は、合成光学系１６で生成された合成光が入射され、その合成光をスクリーンＳに投射する。
【００３３】
（発光装置）
次に、発光装置１０について詳細に説明する。図１に示すように、発光装置１０は、光源２０と、蛍光体２２と、反射鏡２４と、集光光学系２５と、遮光ユニット２６と、フライアイレンズ２８とを有する。蛍光体２２と、反射鏡２４と、集光光学系２５と、遮光ユニット２６と、フライアイレンズ２８とは、Ｙ軸方向に沿って配列している。蛍光体２２の＋Ｙ方向側には、集光光学系２５が設けられている。集光光学系２５の＋Ｙ方向側には、反射鏡２４が設けられている。反射鏡２４の＋Ｙ方向側には、遮光ユニット２６が設けられている。遮光ユニット２６の＋Ｙ方向側には、フライアイレンズ２８が設けられている。このフライアイレンズ２８の＋Ｙ方向側には、インテグレータ光学系３０が設けられている。
【００３４】
光源２０は、レーザダイオード（Laser  Diode：ＬＤ）を含む。光源２０は、光源光Ｌ０を励起する。光源光Ｌ０は、第１波長の光であり、照明光Ｌを構成する三色の色光のうちの単色成分の光である。より詳しくは、光源光Ｌ０は、第１色光Ｌｂと同じ色、すなわち青色のレーザ光である。光源光Ｌ０は、言い換えれば、第１波長の光である。この第１波長とは、第１実施形態では、三色のうちの単色成分の光（ここでは青色）の光の波長である。ただし、光源光Ｌ０は、第１波長以外の波長成分を含有していてもよい。
【００３５】
蛍光体２２は、光源２０からの光源光Ｌ０が入射される。蛍光体２２は、光源光Ｌ０の入射により蛍光を励起すると共に、光源光Ｌ０の一部を反射する。蛍光体２２は、第１波長の光源光Ｌ０（青色の光）が入射すると、第２波長の蛍光を励起（発生）させる。この第２波長の蛍光は、第１波長とは異なる波長の光(異なる色の光)であり、第１実施形態では、赤、青、黄の三色のうちの光源光Ｌ０以外の二つの単色を組み合わせた色の光である。具体的には、第２波長は、緑色の光（第２色光Ｌｇ）と赤色の光（第３色光Ｌｒ）とが組み合わさった黄色の光の波長であり、第１波長、すなわち青色成分を含まない。
【００３６】
蛍光体２２は、このように第２波長の蛍光を励起させるとともに、蛍光の励起に寄与しなかった光源光Ｌ０を反射する。すなわち、蛍光体２２は、第１波長の光である光源光Ｌ０と、第２波長の光である蛍光とを、照明光Ｌとして射出する。この蛍光体２２が射出する照明光Ｌは、第１波長の成分と第２波長の成分を有している。すなわち、この蛍光体２２が射出する照明光Ｌは、第１波長の成分（光量）と第２波長の成分（光量）とが、白色光になるような比率である。
【００３７】
反射鏡２４は、第１波長の光を反射し、第１波長以外の波長成分の光、ここでは第２波長の光を透過する鏡体である。反射鏡２４は、第１実施形態ではダイクロイックミラーである。反射鏡２４は、Ｙ軸方向に沿って、蛍光体２２と遮光ユニット２６との間、より詳しくは集光光学系２５と遮光ユニット２６との間に配置されている。反射鏡２４は、光源２０からの光源光Ｌ０が入射される。反射鏡２４は、蛍光体２２に向けてこの第１波長の光源光Ｌ０を反射する。蛍光体２２は、この反射鏡２４で反射された光源光Ｌ０の入射により、上述のように照明光Ｌを発生させる。
【００３８】
集光光学系２５は、蛍光体２２が射出した照明光Ｌを集光して、＋Ｙ方向に射出する。この照明光Ｌは、反射鏡２４及び遮光ユニット２６を経て、フライアイレンズ２８に入射する。遮光ユニット２６は、蛍光体２２からの照明光Ｌの一部を遮光する装置である。遮光ユニット２６の構成については後述する。フライアイレンズ２８は、ＸＺ平面内においてマトリクス状に配置される複数のマイクロレンズを有する。フライアイレンズ２８の複数のマイクロレンズは、インテグレータ光学系３０内のフライアイレンズ３１の複数のマイクロレンズと、１対１で対応する。蛍光体２２からの照明光Ｌは、反射鏡２４及び遮光ユニット２６を経て、フライアイレンズ２８の複数のマイクロレンズのそれぞれに入射する。フライアイレンズ２８は、複数のマイクロレンズのそれぞれに入射した照明光Ｌを、フライアイレンズ３１の複数のマイクロレンズに集光する。ここで、フライアイレンズ２８の複数のマイクロレンズのそれぞれには、マイクロレンズの位置に応じて一部の照明光Ｌが入射するため、それぞれのマイクロレンズが受光する光は異なる。なお、フライアイレンズ３１は、フライアイレンズ２８の光学的な瞳を構成している。
【００３９】
次に、照明光Ｌの射出の様子について説明する。図２は、照明光の射出の様子を示す模式図である。これから図２を用いて説明する照明光Ｌの射出は、遮光ユニット２６によって照明光Ｌを遮光させない場合を例にする。図２のステップＳ１０に示すように、光源２０からの光源光Ｌ０は、反射鏡２４に反射されて−Ｙ方向に進行し、蛍光体２２に入射する。蛍光体２２は、光源光Ｌ０が入射されたら、第２波長の蛍光を励起させるとともに、蛍光の励起に寄与しなかった光源光Ｌ０を反射する。蛍光体２２は、ステップＳ１２に示すように、この反射した光源光Ｌ０と励起した蛍光とを、集光光学系２５に射出する。ステップＳ１４に示すように、蛍光体２２が射出した照明光Ｌは、集光光学系２５に集光されて、＋Ｙ方向に進行する。この照明光Ｌは、反射鏡２４及び遮光ユニット２６を経て、フライアイレンズ２８に入射する。
【００４０】
ここで、反射鏡２４は、Ｙ軸方向に沿って蛍光体２２とフライアイレンズ２８との間に設けられている。反射鏡２４のＹ軸方向に直交する断面積は、フライアイレンズ２８のＹ軸方向に直交する断面積より小さくなっている。すなわち、反射鏡２４のＹ軸方向に沿った断面積は、蛍光体２２から射出されて集光光学系２５に集光された照明光ＬのＹ軸方向に直交する光路面積よりも、小さくなっている。従って、照明光Ｌは、Ｙ軸方向から見た断面視の光路領域のうち、一部の領域である重畳領域Ｒ１において、反射鏡２４と重畳する。
【００４１】
蛍光体２２から射出されて＋Ｙ方向に進行する照明光Ｌは、重畳領域Ｒ１を通る照明光Ｌ１が、反射鏡２４に入射する。反射鏡２４は、第１波長の光を反射し、第２波長の光を透過する。従って、反射鏡２４に入射した照明光Ｌ１は、第２波長の光のみが＋Ｙ方向に透過してフライアイレンズ２８に入射する。すなわち、フライアイレンズ２８に入射する照明光Ｌは、重畳領域Ｒ１において、第１波長の成分を有さず、第２波長の成分を有する。反射鏡２４は、＋Ｙ方向に進行する第１波長の光を全反射するが、＋Ｙ方向に進行する第１波長の光の一部の光量分を反射し、他の光量分は透過してもよい。この場合でも、重畳領域Ｒ１を通る照明光Ｌ１は、白色光と比べて、第２波長の成分（光量）に対する第１波長の成分（光量）の比率が低い、すなわち黄色成分が強くなっている。言い換えれば、重畳領域Ｒ１を通る照明光Ｌ１は、第２波長の成分に対する第１波長の成分の比率が、蛍光体２２と反射鏡２４との間を進行する照明光Ｌの同比率より低くなっている。
【００４２】
一方、照明光Ｌは、Ｙ軸方向から見た断面視の光路領域のうち、非重畳領域Ｒ２では、Ｙ軸方向に沿って反射鏡２４と重畳しない。この非重畳領域Ｒ２は、照明光ＬのＹ軸方向から見た断面視の光路領域のうち、重畳領域Ｒ１（第１領域）以外の領域（第２領域）である。蛍光体２２から射出されて＋Ｙ方向に進行する照明光Ｌのうち、非重畳領域Ｒ２を通る照明光Ｌ２は、反射鏡２４を通らずにフライアイレンズ２８に入射する。そのため、フライアイレンズ２８に入射する照明光Ｌは、非重畳領域Ｒ２において、第１波長及び第２波長の成分を有する。言い換えれば、非重畳領域Ｒ２を通る照明光Ｌ２は、第２波長の成分に対する第１波長の成分の比率が、蛍光体２２と反射鏡２４との間を進行する照明光Ｌと同じとなっている。そのため、第１領域としての重畳領域Ｒ１を通る照明光Ｌ１は、第２領域としての非重畳領域Ｒ２を通る照明光Ｌ２よりも、第１波長の成分が少ない。
【００４３】
このように、遮光ユニット２６で遮光しない場合、フライアイレンズ２８に入射する照明光Ｌは、重畳領域Ｒ１（第１領域）において、第２波長の成分比率が高い、すなわち黄色成分が高くなる。そして、フライアイレンズ２８に入射する照明光Ｌは、非重畳領域Ｒ２（第２領域）において、第１波長と第２波長との成分比率が白色光になるような比率となる。
【００４４】
次に、遮光ユニット２６について説明する。図３及び図４は、遮光ユニットを説明する模式図である。図３及び図４は、蛍光体２２側からＹ軸方向に沿って遮光ユニット２６を見た場合を示している。遮光ユニット２６は、蛍光体２２から＋Ｙ方向に進行してフライアイレンズ２８に向かう照明光Ｌを遮光可能となっている。遮光ユニット２６は、この照明光Ｌの遮光を最小とする開状態と、照明光Ｌを最大限遮光する閉状態とを切替え可能になっている。図３は、開状態を示しており、図４は、閉状態を示している。
【００４５】
図３に示すように、遮光ユニット２６は、絞り部５２Ａ、５２Ｂと、フィルタ５４Ａ１、５４Ａ２、５４Ｂ１、５４Ｂ２と、制御部５６とを有している。絞り部５２Ａは、Ｙ軸方向から見た場合にフライアイレンズ２８の＋Ｚ方向側に設けられている。絞り部５２Ｂは、Ｙ軸方向から見た場合にフライアイレンズ２８の−Ｚ方向側に設けられている。以下、絞り部５２Ａと絞り部５２Ｂとを区別しない場合は、絞り部５２と記載する。
【００４６】
絞り部５２は、底面部５７と端部５８、５９とを有する板状部材である。底面部５７は、Ｘ軸方向に沿った長さがフライアイレンズ２８よりも長い矩形形状となっている。端部５８は、底面部５７のＸ軸方向に沿った一方の端部から、Ｚ軸方向に沿ってフライアイレンズ２８側に延在している。端部５９は、底面部５７のＸ軸方向に沿った他方の端部から、Ｚ軸方向に沿ってフライアイレンズ２８側に延在している。端部５８と端部５９とは、間に照明光Ｌが通過可能な溝を構成している。絞り部５２は、底面部５７、及び端部５８、５９に入射された第１波長及び第２波長の光を遮光する。より具体的には、絞り部５２は、全ての色の可視光を遮光する。
【００４７】
フィルタ５４Ａ１は、絞り部５２Ａの端部５８と端部５９とが形成する溝の、端部５８側に設けられるフィルタである。フィルタ５４Ａ２は、絞り部５２Ａの端部５８と端部５９とが形成する溝の、端部５９側に設けられるフィルタである。フィルタ５４Ｂ１は、絞り部５２Ｂの端部５８と端部５９とが形成する溝の、端部５８側に設けられるフィルタである。フィルタ５４Ｂ２は、絞り部５２Ｂの端部５８と端部５９とが形成する溝の、端部５９側に設けられるフィルタである。以下、フィルタ５４Ａ１、５４Ａ２、５４Ｂ１、５４Ｂ２を区別しない場合は、フィルタ５４と記載する。
【００４８】
フィルタ５４は、絞り部５２に取付けられている。フィルタ５４は、自身に入射した光のうち、第１波長の光を透過し、第２波長の光を遮光するフィルタである。すなわち、第１実施形態では、フィルタ５４は、青色成分の光を透過し、黄色成分の光を遮光する。第１実施形態におけるフィルタ５４は、第２波長の光を完全に遮光する。ただし、フィルタ５４は、第２波長の光の一部の光量分のみを遮光し、第２波長の光の他の光量分を透過してもよい。この場合でも、フィルタ５４は、第１波長の光を第２波長の光より多く透過する。そのため、フィルタ５４を透過した光は、白色光よりも、第１波長の成分（光量）に対する第２波長の成分（光量）の比率が低い、すなわち青色成分が高くなる。なお、フィルタ５４は、第２波長の光を遮光し、第１波長の光を透過するものであれば、第１波長及び第２波長以外の光については、遮光しても透過してもよい。なお、絞り部５２及びフィルタ５４の形状は、上記の説明に限られず、任意である。
【００４９】
制御部５６は、絞り部５２をＺ軸方向に移動させることで、図３に示す開状態と図４に示す閉状態とを切り替える。制御部５６は、絞り部５２Ａ、５２Ｂを、Ｚ軸方向に沿って互いに近づける方向に移動させることで、開状態から徐々に閉状態に切り替える。同様に、制御部５６は、絞り部５２Ａ、５２Ｂを、Ｚ軸方向に沿って互いに離間する方向に移動させることで、閉状態から徐々に開状態に切り替える。なお、フィルタ５４は、絞り部５２に固定されている。従って、制御部５６は、絞り部５２の移動に伴い、フィルタ５４についてもＺ軸方向に移動させているといえる。
【００５０】
開状態とは、絞り部５２による照明光Ｌの遮光を最小とした状態である。図３に示すように、開状態は、絞り部５２Ａ、５２Ｂを、互いに最も遠ざけた状態、すなわち絞り部５２を最も開いた状態（全開状態）である。言い換えれば、開状態は、絞り部５２及びフィルタ５４が照明光Ｌの光路領域（フライアイレンズ２８）に重畳する面積を、最小とした状態である。さらに詳しくは、第１実施形態における絞り部５２は、開状態において、Ｙ軸方向から見てフライアイレンズ２８に重畳しない。絞り部５２は、開状態において、フライアイレンズ２８よりも外側の位置に配置されている。そして、フィルタ５４も、Ｙ軸方向から見てフライアイレンズ２８に重畳しない位置、すなわち、フライアイレンズ２８よりも外側の位置に配置されている。そのため、絞り部５２及びフィルタ５４は、開状態において、蛍光体２２からの照明光Ｌの光路領域に重畳しない。従って、蛍光体２２からの照明光Ｌは、絞り部５２及びフィルタ５４に当たらずにそれらの内側の空間を通る。蛍光体２２からの照明光Ｌは、開状態において、絞り部５２及びフィルタ５４に遮光されることなく、フライアイレンズ２８に入射する。
【００５１】
一方、閉状態とは、絞り部５２による照明光Ｌの遮光を最大とした状態である。図４に示すように、閉状態は、絞り部５２Ａ、５２Ｂを、互いに最も近づけた位置に配置した状態、すなわち絞り部５２を最も閉じた状態（全閉状態）である。言い換えれば、閉状態は、絞り部５２が照明光Ｌの光路領域（フライアイレンズ２８）に重畳する面積を、最大とした状態である。図４の例では、閉状態において、絞り部５２Ａは、端部５８、５９の先端が、絞り部５２Ｂの端部５８、５９の先端と接している。絞り部５２Ａ、５２Ｂは、Ｙ軸方向から見て、フライアイレンズ２８の一部に重畳している。絞り部５２は、端部５８と端部５９との間（溝）において、フライアイレンズ２８に重畳していない。そのため、閉状態において、蛍光体２２からの照明光Ｌは、絞り部５２に重畳する領域において遮光され、絞り部５２に重畳しない領域（溝）を進行する光のみが、フライアイレンズ２８に入射する。
【００５２】
また、閉状態において、フィルタ５４も、互いに最も近づいた位置となっている。すなわち、閉状態は、フィルタ５４が照明光Ｌの光路領域（フライアイレンズ２８）に重畳する面積を、最大とした状態である。フィルタ５４は、閉状態において、Ｙ軸方向から見てフライアイレンズ２８の一部に重畳している。そのため、蛍光体２２からの照明光Ｌにおいて、絞り部５２に重畳しない領域を進行する光のうち、フィルタ５４に重畳する領域を進行する光は、第２波長の光が遮光され、第１波長の光が透過して、フライアイレンズ２８に入射する。また、蛍光体２２からの照明光Ｌにおいて、絞り部５２に重畳しない領域を進行する光のうち、フィルタ５４に重畳しない領域を進行する光は、第１波長及び第２波長の光が透過して、フライアイレンズ２８に入射する。
【００５３】
また、第１実施形態では、反射鏡２４は、Ｙ軸方向から見てフライアイレンズ２８の中心近傍に設けられている。そのため、非重畳領域Ｒ２は、重畳領域Ｒ１の外側、より詳しくは重畳領域Ｒ１の周囲を囲むように設けられている。開状態の際、絞り部５２及びフィルタ５４は、重畳領域Ｒ１に重畳せず、非重畳領域Ｒ２にも重畳しない。一方、閉状態の際、絞り部５２は、非重畳領域Ｒ２の少なくとも一部の領域に重畳するが、重畳領域Ｒ１には重畳しない。同様に、閉状態の際、フィルタ５４は、非重畳領域Ｒ２の少なくとも一部の領域に重畳するが、重畳領域Ｒ１には重畳しない。フィルタ５４は、閉状態の際に、非重畳領域Ｒ２を通る照明光Ｌのうち、フィルタ５４に重畳した領域における照明光Ｌに対して、第２波長の光を遮光する。ただし、絞り部５２及びフィルタ５４は、閉状態の際、非重畳領域Ｒ２に加え重畳領域Ｒ１にも重畳してもよい。この場合でも、絞り部５２及びフィルタ５４は、閉状態において、重畳領域Ｒ１及び非重畳領域Ｒ２の全域には重畳しない。
【００５４】
ここで、フライアイレンズ２８に入射する照明光Ｌにおいて、第１波長の成分（光量）と第２波長の成分（光量）との比率を、成分比率とする。この成分比率は、照明光Ｌの光路領域の全域における第１波長の成分（光量）の合計値と、照明光Ｌの光路領域の全域における第２波長の成分（光量）の合計値との比率である。遮光ユニット２６は、閉状態における成分比率が、開状態における成分比率に対し、所定の範囲（成分範囲）内となるように、閉状態においてフィルタ５４に第２波長の光を遮光させる。ここで、成分比率は、第１波長成分と第２波長成分との比率であるため、色成分のバランスの比率であるということができる。そのため、閉状態における成分比率が開状態における成分比率に近い場合、開状態と閉状態とで色成分のバランスの変化が小さくなるということができる。なお、上述の成分範囲は、開状態と閉状態との成分比率の差がこの成分範囲内にある場合に、フライアイレンズ２８に入射する照明光Ｌの開状態と閉状態とにおける色温度の差が、所定の値以下になる値であるということもできる。この色温度における所定の値は、例えば、閉状態における色温度から開状態における色温度を差し引いた値が、−１０００Ｋから＋１０００Ｋまでの間の値となるように設定されることが好ましい。また、この色温度における所定の値は、例えば、閉状態における色温度と開状態における色温度との差の絶対値が、１０００Ｋ以下の値となるように設定されることがより好ましい。
【００５５】
第１実施形態では、遮光ユニット２６は、閉状態においてフィルタ５４が光路領域に重畳する領域の面積を予め設定しておくことで、閉状態の成分比率を、開状態の成分比率に対して成分範囲の範囲内としている。ここで、照明光ＬのＹ軸方向に直交する断面視における光路領域のうち、非重畳領域Ｒ２（第２領域）であってフィルタ５４が重畳する領域（図４において斜線で示される領域）を、青透過領域Ｒ３とする。また、照明光ＬのＹ軸方向に直交する断面視における光路領域のうち、非重畳領域Ｒ２（第２領域）であって、かつ絞り部５２及びフィルタ５４の双方に遮光されない（重畳しない）領域（図４において無地の実線で示される領域）を、全透過領域Ｒ４とする。また、照明光ＬのＹ軸方向に直交する断面視における光路領域のうち、重畳領域Ｒ１（第１領域）であって、かつ絞り部５２及びフィルタ５４の双方に遮光されない（重畳しない）領域（図４において点地で示される領域）を、黄透過領域Ｒ５とする。青透過領域Ｒ３は、フィルタ５４によって第２波長の光（黄色成分の光）が遮光され、第１波長の光（青色成分の光）が遮光されずにそのまま透過される領域である。全透過領域Ｒ４は、第１波長の光（青色成分の光）及び第２波長の光（黄色成分の光）の両方が遮光されずにそのまま透過される領域である。黄透過領域Ｒ５は、反射鏡２４によって第１波長の光（青色成分の光）が遮光され、第２波長の光（黄色成分の光）が遮光されずにそのまま透過される領域である。なお、照明光ＬのＹ軸方向に直交する断面視における光路領域のうち、青透過領域Ｒ３、全透過領域Ｒ４、及び黄透過領域Ｒ５以外の領域は、絞り部５２と重畳する領域であって、第１波長及び第２波長の両方の光が遮光される全遮光領域である。
【００５６】
遮光ユニット２６は、閉状態における青透過領域Ｒ３と全透過領域Ｒ４と黄透過領域Ｒ５との面積比が予め設定した値となるように、フィルタ５４によって第２波長の光を遮光する。ここで、第１波長の光（青色成分の光）が透過する領域は、青透過領域Ｒ３及び全透過領域Ｒ４である。また、第２波長の光（黄色成分の光）が透過する領域は、全透過領域Ｒ４及び黄透過領域Ｒ５である。ここで、第１波長の光（青色成分の光）が透過する領域、すなわち青透過領域Ｒ３と全透過領域Ｒ４とを加えた領域を、第１波長領域ＲＢとする。また、第２波長の光（黄色成分の光）が透過する領域、すなわち全透過領域Ｒ４と黄透過領域Ｒ５とを加えた領域を、第２波長領域ＲＹとする。遮光ユニット２６は、閉状態における第１波長領域ＲＢと第２波長領域ＲＹとの面積比が、開状態における第１波長領域ＲＢと第２波長領域ＲＹとの面積比に対し、所定の範囲（面積範囲）内となるように、閉状態においてフィルタ５４に遮光させる。第１波長領域ＲＢと第２波長領域ＲＹとの面積比は、フライアイレンズ２８に入射する照明光Ｌにおける、第１波長の光と第２波長の光との成分の比率、すなわち色成分のバランスの比率であるということができる。そのため、遮光ユニット２６は、このような面積比となるようにフィルタ５４及び絞り部５２が重畳する領域の面積を予め設定しておくことで、開状態と閉状態とで色成分のバランスの変化を小さくしている。なお、面積範囲は、開状態と閉状態との面積比がこの面積範囲内にある場合に、フライアイレンズ２８に入射する照明光Ｌの開状態と閉状態とにおける色温度の差が、上述の所定の値以下になる値である。
【００５７】
ここで、第１波長領域ＲＢは、照明光ＬのＹ軸方向に直交する断面視における光路領域のうち、絞り部５２及びフィルタ５４の両方に重畳しない（遮光されない）領域に対応する。また、第２波長領域ＲＹは、照明光ＬのＹ軸方向に直交する断面視における光路領域のうち、非重畳領域Ｒ２（第２領域）であって、かつ絞り部５２に遮光されない（重畳しない）領域に対応する。
【００５８】
フライアイレンズ２８が有するマイクロレンズ２８ａは、それぞれの面積が、互いに略均一となっている。従って、この第１波長領域ＲＢと第２波長領域ＲＹとの面積比は、マイクロレンズ２８ａの数として表現することができる。図３及び図４の例に基づき、第１波長領域ＲＢと第２波長領域ＲＹとを、フライアイレンズ２８が有するマイクロレンズ２８ａの数を用いて説明する。図３の例に示すように、開状態では、絞り部５２とフィルタ５４は、照明光Ｌの光路領域に重畳しない。すなわち、開状態における第１波長領域ＲＢは、全てのマイクロレンズ２８ａのうち、重畳領域Ｒ１に重畳するマイクロレンズ２８ａを除いた領域である（図３の例ではマイクロレンズ２８ａが５２個分の領域）。また、開状態における第２波長領域ＲＹは、全てのマイクロレンズ２８ａを含む領域である（図３の例ではマイクロレンズ２８ａが６０個分の領域）。また、図４の例で示すように、閉状態における第１波長領域ＲＢは、青透過領域Ｒ３又は全透過領域Ｒ４に重畳するマイクロレンズ２８ａを含む領域である（図４の例ではマイクロレンズ２８ａが１６個分の領域）。また、閉状態における第２波長領域ＲＹは、全透過領域Ｒ４又は黄透過領域Ｒ５に重畳するマイクロレンズ２８ａを含む領域である（図４の例ではマイクロレンズ２８ａが２０個分の領域）。このように、遮光ユニット２６は、第１波長領域ＲＢに重畳するマイクロレンズ２８ａの数と第２波長領域ＲＹに重畳するマイクロレンズ２８ａの数との閉状態における比率が、開状態における同比率に対し、所定の範囲（数範囲）内となるように、フィルタ５４に遮光させてもよい。
【００５９】
換言すると、閉状態において、照明光ＬのＹ軸方向に直交する断面視における光路領域のうち、絞り部５２及びフィルタ５４の両方に重畳しない（遮光されない）領域と、非重畳領域Ｒ２（第２領域）であってかつ絞り部５２に遮光されない（重畳しない）領域との間の面積比が、開状態におけるフィルタ５４によって遮光されない領域と、非重畳領域Ｒ２（第２領域）であってかつ絞り部５２に遮光されない（重畳しない）領域との間のマイクロレンズ２８ａの数の比に対し、所定の範囲（数範囲）内となるように、第２波長の光を遮光させている、とも説明できる。ここで、全てのマイクロレンズ２８ａの面積は等しいので、数を面積に置き換えた説明もできる。
【００６０】
図５は、開状態と閉状態との面積比の一例を説明する表である。図５は、フィルタ５４を有する第１実施形態における面積比と、フィルタ５４を有さない比較例における面積比とを示している。図５は、図３及び図４で例示したレイアウトである場合における第１波長領域ＲＢと第２波長領域ＲＹとの面積比を、重畳するマイクロレンズ２８ａの数で示している。図５に示すように、第１実施形態において、開状態における第１波長領域ＲＢは、５２（マイクロレンズ２８ａが５２個重畳した領域）であり、第２波長領域ＲＹは、６０である。そして、第１実施形態において、閉状態における第１波長領域ＲＢは、１６であり、第２波長領域ＲＹは、２０である。また、フィルタを有さない比較例において、開状態における第１波長領域ＲＢは、５２であり、第２波長領域ＲＹは、６０である。そして、比較例において、閉状態における第１波長領域ＲＢは、１６であり、第２波長領域ＲＹは、２４である。
【００６１】
第１実施形態において、第２波長領域ＲＹに対する第１波長領域ＲＢの面積比率は、開状態で８６．７％であり、閉状態で８０．０％である。この場合、開状態における照明光Ｌの色温度は、６５００Ｋであり、開状態における照明光Ｌの色温度は、６２００Ｋとなる。一方、比較例において、第２波長領域ＲＹに対する第１波長領域ＲＢの面積比率は、開状態で８６．７％であるが、閉状態で６６．７％である。比較例の場合、開状態における照明光Ｌの色温度は、６５００Ｋであり、開状態における照明光Ｌの色温度は、５５００Ｋとなる。このように、第１実施形態においては、フィルタ５４により第２波長の光を遮光しているため、閉状態における色成分のバランス（色温度）が、開状態における色成分のバランス（色温度）に対して大きく変化することを抑制している。
【００６２】
このように、第１実施形態では、第２波長の光を完全に遮光するフィルタ５４を用いて、閉状態においてこのフィルタ５４が遮光する領域を予め定めることで、閉状態の成分比率を、開状態の成分比率に対して成分範囲の範囲内としている。ただし、閉状態の成分比率を、開状態の成分比率に対して成分範囲の範囲内とする方法は、これに限られない。例えば遮光ユニット２６は、第２波長の光の一部の光量分だけ遮光するフィルタ５４を用いて、このフィルタ５４が閉状態において遮光する第２の波長の光の光量を予め設定してもよい。これにより、遮光ユニット２６は、閉状態における成分比率が、開状態における成分比率に対し、所定の範囲（成分範囲）内となるように、閉状態のフィルタ５４に第２波長の光を遮光させる。
【００６３】
以上説明したように、第１実施形態に係る発光装置１０は、光源２０と、蛍光体２２と、フライアイレンズ２８と、遮光ユニット２６とを有する。光源２０は、第１波長の光源光Ｌ０を射出する。蛍光体２２は、光源光Ｌ０が入射され、光源光Ｌ０によって第２波長の蛍光を励起すると共に光源光Ｌ０を反射して、光源光Ｌ０と蛍光とを照明光Ｌとして射出する。フライアイレンズ２８は、照明光Ｌが入射する。遮光ユニット２６は、蛍光体２２とフライアイレンズ２８との間に設けられる。フライアイレンズ２８に入射する照明光Ｌは、第１領域（重畳領域Ｒ１）において、第２領域（非重畳領域Ｒ２）よりも、第１波長の成分が少ない。第１領域は、照明光Ｌの光の進行方向（Ｙ軸方向）に対する断面視における光路領域のうち、一部の領域である。第２領域は、第１領域以外の領域である。また、遮光ユニット２６は、絞り部５２及びフィルタ５４を有する。絞り部５２は、照明光Ｌを遮光する。フィルタ５４は、第２領域（非重畳領域Ｒ２）における照明光Ｌの第２波長の光を遮光し、第２領域における照明光Ｌの第１波長の光を透過する。
【００６４】
この発光装置１０が有するフライアイレンズ２８は、第１領域において、第１波長の成分に対する第２波長の成分の比率が高い照明光Ｌが入射する。すなわち、この照明光Ｌは、三色の色成分のバランスが、第１領域と第２領域とで異なる。このような照明光Ｌを絞り部５２で遮光すると、絞り部５２で遮光しない際（開状態）と絞り部５２で遮光した際（閉状態）とで、照明光Ｌの第１波長成分と第２波長成分の成分比率、すなわち発色がずれてしまうおそれがある。しかし、第１実施形態に係る発光装置１０は、成分比率が高い第２波長の光を、フィルタ５４により遮光することで、第１波長成分と第２波長成分との差が大きくなることを抑制する。これにより、この発光装置１０は、絞り部５２を用いた際における三色の色成分のバランスの変化を抑制する。
【００６５】
また、この遮光ユニット２６は、開状態と閉状態とを切替え可能である。開状態は、絞り部５２による照明光Ｌの遮光を最小とする状態である。閉状態は、絞り部５２の照明光Ｌの遮光を最大とし、かつ、フィルタ５４が第２領域の少なくとも一部の領域における第２波長の光を遮光する状態である。第１領域は、第２波長成分が高い領域である。この遮光ユニット２６は、閉状態において、第２領域における第２波長成分を、フィルタ５４により遮光する。この遮光ユニット２６は、閉状態において、フィルタ５４により第２波長成分の光を遮光することで、閉状態における第１波長成分と第２波長成分との成分比率が、開状態における成分比率から大きく変化することを抑制する。従って、この発光装置１０は、絞り部５２を用いた際における三色の色成分のバランスの変化をより好適に抑制する。
【００６６】
また、この発光装置１０は、反射鏡２４を更に有する。反射鏡２４は、蛍光体２２と遮光ユニット２６との間に設けられ、第１波長の光を反射して第２波長の光を透過する。反射鏡２４は、光源２０からの光源光Ｌ０を反射して蛍光体２２に射出する。フライアイレンズ２８に入射する照明光Ｌは、反射鏡２４に重畳する重畳領域Ｒ１において、反射鏡２４を透過した第２波長の成分の光を含む。この照明光Ｌは、重畳領域Ｒ１以外の非重畳領域Ｒ２において、第１波長及び第２波長の成分の光を含む。遮光ユニット２６は、閉状態において、フィルタ５４を非重畳領域Ｒ２に重畳させ、非重畳領域Ｒ２における照明光Ｌの第２波長の光を遮光する。
【００６７】
この反射鏡２４は、光源光Ｌ０を蛍光体２２に向けて反射するものである。反射鏡２４は、蛍光体２２から射出される照明光Ｌに含まれる第１波長の光を反射する。そのため、蛍光体２２からの照明光Ｌは、反射鏡２４と重畳する重畳領域Ｒ１において、第１波長の成分が低くなる。このような照明光Ｌを用いる場合、閉状態における光路領域全体における第１波長成分と第２波長成分との成分比率が、開状態から大きく変化するおそれがある。しかし、第１実施形態においては、閉状態において非重畳領域Ｒ２における照明光Ｌの第２波長の光を遮光することで、閉状態における成分比率が開状態から大きく変化することを抑制することができる。そのため、この発光装置１０は、絞り部５２を用いた際における三色の色成分のバランスの変化を、より好適に抑制する。
【００６８】
遮光ユニット２６は、閉状態においてフライアイレンズ２８に入射する照明光Ｌの成分比率が、開状態においてフライアイレンズ２８に入射する照明光Ｌの成分比率に対し、所定の範囲内となるように、フィルタ５４に第２波長の光を遮光させる。成分比率とは、第１波長の成分（光量）と第２波長の成分（光量）との比率である。この遮光ユニット２６は、閉状態における成分比率が、開状態における成分比率に対し、所定の範囲（成分範囲）内となるように、フィルタ５４で遮光する。そのため、この遮光ユニット２６は、閉状態における成分比率が、開状態から大きく変化することを抑制することができる。そのため、この発光装置１０は、絞り部５２を用いた際における三色の色成分のバランスの変化を、より好適に抑制する。
【００６９】
遮光ユニット２６は、閉状態において、第１波長領域ＲＢと第２波長領域ＲＹとの面積比が、開状態における第１波長領域ＲＢと第２波長領域ＲＹとの間の面積比に対し、所定の範囲内となるように、フィルタ５４に第２波長の光を遮光させる。第１波長領域ＲＢは、第１波長の光が透過する領域である。第２波長領域ＲＹは、第２波長の光が透過する領域である。遮光ユニット２６は、閉状態におけるこれらの面積比を、開状態における面積比に対し所定の範囲内としている。そのため、この遮光ユニット２６は、第１波長の光が透過される第１波長領域ＲＢと第２波長の光が透過される第２波長領域ＲＹとの間の面積比が、閉状態において大きく変化することを抑制する。そのため、この発光装置１０は、絞り部５２を用いた際における三色の色成分のバランスの変化を、より好適に抑制する。
【００７０】
（第２実施形態）
次に、第２実施形態について説明する。第２実施形態に係る発光装置１０Ａは、遮光ユニット２６Ａが、フィルタ５４Ａの移動を独立して制御する点で、第１実施形態とは異なる。第２実施形態において第１実施形態と共通する箇所の説明は、省略する。
【００７１】
図６は、第２実施形態に係る遮光ユニットを説明する説明図である。図６に示すように、第２実施形態に係る遮光ユニット２６Ａは、絞り部５２と、フィルタ５４Ａと、制御部５６Ａとを有する。絞り部５２とフィルタ５４Ａとの形状は、第１実施形態と同様である。
【００７２】
制御部５６Ａは、第１実施形態と同様に、絞り部５２をＺ軸方向に沿って移動させる。さらに、制御部５６Ａは、フィルタ５４Ａを、絞り部５２から独立してＺ軸方向に沿って移動させる。すなわち、制御部５６Ａは、フィルタ５４Ａを個別に移動させることで、フィルタ５４Ａの絞り部５２に対する位置を、Ｚ軸方向に沿って移動させる。
【００７３】
制御部５６Ａは、開状態と閉状態とを切り替える際に、絞り部５２を移動させつつ、フィルタ５４Ａを絞り部５２に対して移動させる。ここで、絞り部５２の位置が開状態と閉状態との間の位置にある状態を、中間状態とする。制御部５６Ａは、中間状態においてフライアイレンズ２８に入射する照明光Ｌの成分比率が、開状態においてフライアイレンズ２８に入射する照明光Ｌの成分比率に対し、所定の範囲（成分範囲）内となるように、フィルタ５４Ａを絞り部５２に対して移動させることで、フィルタ５４Ａの第２波長の光の遮光量を制御する。すなわち、第２実施形態においては、フィルタ５４Ａを独立して駆動することで、閉状態だけでなく、中間状態における成分比率も、開状態に近づけることができる。
【００７４】
図６のステップＳ２０は、開状態を示し、ステップＳ２２は、中間状態を示し、ステップＳ２４は、閉状態を示している。ステップＳ２０に示すように、開状態における絞り部５２の位置は、第１実施形態と同様である。また、開状態から閉状態へ切り替える際の絞り部５２の移動も、第１実施形態と同様である。そのため、中間状態及び閉状態における絞り部５２の位置も、第１実施形態と同様である。一方、制御部５６Ａは、ステップＳ２２、Ｓ２４に示すように、開状態から閉状態へ切り替えるに従って、すなわち絞り部５２を閉じるに従って、フィルタ５４Ａを移動させて、フィルタ５４Ａが絞り部５２から光路領域へ向けて突出する面積を大きくしている。これにより、中間状態においてフィルタ５４Ａが光路領域（フライアイレンズ２８）に重畳する面積は、第１実施形態（フィルタを独立して移動させない場合）より大きくなる。同様に、制御部５６Ａは、閉状態から開状態へ切り替えるに従って、すなわち絞り部５２を開くに従って、フィルタ５４Ａを移動させて、フィルタ５４Ａが絞り部５２から光路領域へ向けて突出する面積を小さくしている。図６の例では、フィルタ５４Ａをこのように制御することにより、閉状態及び中間状態においてフライアイレンズ２８に入射する照明光Ｌの成分比率が、閉状態においてフライアイレンズ２８に入射する照明光Ｌの成分比率に対し、所定の範囲（成分範囲）内となるようにしている。ただし、制御部５６Ａによるフィルタ５４Ａの制御は、図６の例に限られない。
【００７５】
（第３実施形態）
次に、第３実施形態について説明する。第３実施形態に係る遮光ユニット２６Ｂは、フィルタ５４Ｂの形状が第１実施形態と異なる。第３実施形態において第１実施形態と共通する箇所の説明は、省略する。
【００７６】
図７は、第３実施形態に係る遮光ユニットを説明する説明図である。第１実施形態に係るフィルタの形状は、矩形であったが、フィルタの形状は、矩形に限られず、任意に設定可能である。例えば図７に示すように、フィルタ５４Ｂは、切欠き５５が設けられていてもよい。切欠き５５は、フィルタ５４Ｂの頂点に設けられている。このようにフィルタ５４Ｂの形状を設定することで、中間状態においてフィルタ５４Ｂが光路領域に重畳する面積を、適切に設定することが可能となる。
【００７７】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００７８】
１０  発光装置
１２  照明光学系
１３  第１反射型液晶パネル
１４  第２反射型液晶パネル
１５  第３反射型液晶パネル
１６  合成光学系
１８  投射光学系
２０  光源
２２  蛍光体
２４  反射鏡
２５  集光光学系
２６  遮光ユニット
２８  フライアイレンズ
５２、５２Ａ、５２Ｂ  絞り部
５４、５４Ａ１、５４Ａ２、５４Ｂ１、５４Ｂ２  フィルタ
５６  制御部
１００  投射型画像表示装置
Ｌ  照明光
Ｌ０  光源光
Ｒ１  重畳領域
Ｒ２  非重畳領域
Ｒ３  青透過領域
Ｒ４  全透過領域
Ｒ５  黄透過領域
ＲＢ  第１波長領域
ＲＹ  第２波長領域
【図１】
2018036547.tif 000003
【図２】
2018036547.tif 000004
【図３】
2018036547.tif 000005
【図４】
2018036547.tif 000006
【図５】
2018036547.tif 000007
【図６】
2018036547.tif 000008
【図７】
2018036547.tif 000009